【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
被検体を載せるベッドと、撮像装置とを備え、
前記撮像装置は、周方向に複数の開口部を形成した支持部材と、前記開口部にそれぞれ挿入されて前記支持部材に着脱自在に取り付けられた複数の検出器ユニットとを有し、
前記検出器ユニットが、収納部材、及び前記収納部材内に収納される複数の基板を有し、
前記基板が、γ線を入射する複数の放射線検出器、及び前記複数の放射線検出器のそれぞれが出力するγ線検出信号を処理する集積回路を含み、
更に、
前記検出器ユニットは、前記集積回路からの信号線及び前記検出器ユニットの電源配線を前記撮像装置側に設けられた情報伝送用配線及び電源配線と接続する外部接続コネクタを有し、
前記検出器ユニットを前記支持部材の前記開口部から挿入して前記撮像装置に取り付けることにより、前記外部接続コネクタが前記撮像装置側と接続することを可能とすることを特徴とする陽電子放出型断層撮影装置。
【請求項２】
前記外部接続コネクタが前記検出器ユニットの天板の外側に設けられていることを特徴とする請求項１に記載の陽電子放出型断層撮影装置。
【請求項３】
前記検出器ユニットは、それぞれの前記基板に含まれた集積回路から出力される情報を前記検出器ユニットの外部に出力する他の集積回路を有し、
前記検出器ユニットの前記収納部材は、複数の前記基板を装着自在に収納するためのガイド部材と、蓋体である前記天板とを有し、
前記天板には、前記複数の基板の基板コネクタと接続する受け側コネクタが設けられ、前記受け側コネクタと前記他の集積回路との間及び該他の集積回路と前記外部接続コネクタとの間に配線がなされ、
前記基板コネクタ、前記受け側コネクタ、前記他の集積回路、及び前記外部接続コネクタを介して、前記情報を外部に出力することを特徴とする請求項２に記載の陽電子放出型断層撮影装置。
【請求項４】
被検体を載せるベッドと、撮像装置とを備え、
前記撮像装置は、周方向に複数の開口部を形成した支持部材と、前記開口部にそれぞれ挿入されて前記支持部材に着脱自在に取り付けられた複数の検出器ユニットとを前記撮像装置が備え、前記検出器ユニットが、収納部材、及び前記収納部材内に収納される複数の基板を有し、
前記基板が、γ線を入射する複数の放射線検出器、及び前記複数の放射線検出器のそれぞれが出力するγ線検出信号を処理する集積回路を含み、
前記集積回路が、放射線検出の時刻情報及びγ線を検出した前記放射線検出器の識別情報を出力し、
更に、
前記検出器ユニットは、前記撮像装置のコネクタに接続される外部接続コネクタと、それぞれの前記基板に含まれた集積回路から出力される情報を前記検出器ユニットの外部に出力する他の集積回路とを有し、前記外部接続コネクタと前記他の集積回路とを、前記収納部材の外面に設置し、前記外部接続コネクタを介して前記撮像装置から電源が供給されるとともに、前記他の集積回路が前記情報を外部に出力することを特徴とする陽電子放出型断層撮影装置。
【請求項５】
前記撮像装置の前記複数の検出器ユニットが前記ベッドを取り囲むように配置され、
前記放射線検出器及び前記集積回路は、前記基板において前記ベッドに近い方に前記放射線検出器、前記ベッドから遠い方に前記集積回路が配置されることを特徴とする請求項１から請求項４のいずれか１項に記載の陽電子放出型断層撮影装置。
【請求項６】
前記集積回路から出力された第１情報を基に得られた第２情報を用いて断層像情報を作成する断層像情報作成装置を備えたことを特徴とする請求項１から請求項５のいずれか１項に記載の陽電子放出型断層撮影装置。
【請求項７】
前記外部接続コネクタが前記収納部材の外面に設けられていることを特徴とする請求項１に記載の陽電子放出型断層撮影装置。
【請求項８】
前記複数の検出器ユニットは、前記支持部材に片端支持されることを特徴とする請求項１から請求項７のいずれか１項に記載の陽電子放出型断層撮影装置。
【請求項９】
前記撮像装置は、別の支持部材をもう一つ有し、
前記複数の検出器ユニットは、複数の支持部材により両端支持されることを特徴とする請求項１から請求項７のいずれか１項に記載の陽電子放出型断層撮影装置。
【請求項１０】
前記複数の検出器ユニットは、それぞれフランジを有することを特徴とする請求項１から請求項９のいずれか１項に記載の陽電子放出型断層撮影装置。
【請求項１１】
前記複数の検出器ユニットのそれぞれの前記フランジは、周方向内側の部分を無くし、周方向外側の部分を有することを特徴とする請求項１０に記載の陽電子放出型断層撮影装置。
【請求項１２】
前記放射線検出器は、半導体放射線検出器であることを特徴とする請求項１から請求項１１のいずれか１項に記載の陽電子放出型断層撮影装置。
【請求項１３】
周方向に複数の開口部を形成した支持部材を備えた撮像装置に用いられ、
γ線を入射する複数の放射線検出器、及び前記複数の放射線検出器のそれぞれが出力するγ線検出信号を処理する集積回路を含む複数の基板を、収納部材に複数収容し、
前記開口部を介して前記支持部材に脱着自在に収納される検出器ユニットであって、
前記集積回路に結ばれる外部接続コネクタを有し、
前記開口部を介して前記支持部材に収納されることで、前記外部接続コネクタは前記撮像装置が備えるコネクタと接続され、前記撮像装置から電源が供給されるとともに、前記集積回路の出力が前記撮像装置に送られること、
を特徴とする検出器ユニット。
【請求項１４】
前記放射線検出器は、半導体放射線検出器であることを特徴とする請求項１３に記載の検出器ユニット。
【手続補正２】
【補正対象書類名】明細書
【補正対象項目名】発明の名称
【補正方法】変更
【補正の内容】
【発明の名称】陽電子放出型断層撮影装置及びその検出器ユニット
【手続補正３】
【補正対象書類名】明細書
【補正対象項目名】０００１
【補正方法】変更
【補正の内容】
【０００１】
本発明は、核医学診断装置に係り、特に、検出器ユニットを用いた核医学診断装置の一種である陽電子放出型断層撮影（Positron Emission Tomography）装置（以下、ＰＥＴ装置という）及びその検出器ユニットに関する。
【手続補正４】
【補正対象書類名】明細書
【補正対象項目名】０００５
【補正方法】変更
【補正の内容】
【０００５】
本発明は、陽電子放出型断層撮影装置及びその検出器ユニットを提供することを目的とする。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明は、被検体を載せるベッドと、撮像装置とを備え、撮像装置は、周方向に複数の開口部を形成した支持部材と、開口部にそれぞれ挿入されて支持部材に着脱自在に取り付けられた複数の検出器ユニットとを有し、検出器ユニットが、収納部材、及び収納部材内に収納される複数の基板を有し、基板が、γ線を入射する複数の放射線検出器、及び複数の放射線検出器のそれぞれが出力するγ線検出信号を処理する集積回路を含み、更に、検出器ユニットは、集積回路からの信号線及び検出器ユニットの電源配線を撮像装置側に設けられた情報伝送用配線及び電源配線と接続する外部接続コネクタを有し、検出器ユニットを支持部材の開口部から挿入して撮像装置に取り付けることにより、外部接続コネクタが撮像装置側と接続することを可能とすることを特徴とする。
【手続補正８】
【補正対象書類名】明細書
【補正対象項目名】０００９
【補正方法】変更
【補正の内容】
【０００９】
この結果、放射線検出器の撮像装置への取り付けに要する時間が著しく短縮できる。また収納部材ごと陽電子放出型断層撮影装置、具体的には撮像装置であるカメラから取り外せるようにし、保守点検が更に容易にした。
ちなみに、ＰＥＴ装置では、多数の放射線検出器が使用される。例えば、十万〜数十万個（ｃｈ）という多数の半導体放射線検出器が使用されるが、これら多数の半導体放射線検出器のＰＥＴ装置への取り付けに要する時間短縮ができる。また、放射線検出器の保守点検を容易にすることができる。